(57)【要約】【課題】シェーディング補正と適応ガンマ補正の双方の処理を行なっても、ノイズの増大を伴わない撮像装置の提供。【解決手段】撮影画像を複数ブロックに分割し、各ブロックの濃度分布を検出して適応ガンマ補正を行なうと共に、シェーディングの影響が大きい画像周辺部ブロックの濃度分布より、シェーディング補正による補正具合を検出して、ノイズが所定範囲以上に増大しないように、シェーディング補正量を制御する構成とする。【選択図】        図１
2006121386.tif 000002
【特許請求の範囲】
【請求項１】
光学系と光学系を通過した光を電気信号に変換する撮像素子を有し、撮像素子出力の画像信号を複数領域に分割する分割手段と、分割された領域内の撮像素子出力信号の濃度分布を検出する手段と、ガンマ補正手段と、光学系および撮像素子のもつシェーディング特性を補正するシェーディング補正量を記憶する手段とシェーディング補正手段を有し、
ガンマ特性と所定領域の濃度分布状況とから記憶されたシェーディング補正量に対する抑圧量を算出する手段を有し、該シェーディング補正量に対し前記で算出された抑圧をかけたシェーディング補正を撮像素子出力信号に対して行なうことを特徴とする撮像装置。
【請求項２】
所定領域の濃度分布より、平均値および標準偏差を算出する手段を有し、平均値と標準偏差とガンマ特性から、前記所定領域における代表ガンマ補正量を算出する手段を有し、ホワイトバランス補正量と前記所定領域の代表ガンマ補正量および所定領域にかかるシェーディング補正量から、各種補正の総合補正量を算出する手段を有し、該総合補正量が所定の範囲内にあるかを判別する手段と、所定の範囲内に収まるように補正量に対する抑圧量を算出する手段を有し、
前記のシェーディング補正量に抑圧量による抑圧をかけることを特徴とする請求項１記載の撮像装置。
【発明の詳細な説明】
【技術分野】
【０００１】
本発明は、撮像素子からの出力信号のヒストグラムを生成し、該ヒストグラムから適応型ガンマ補正をかけ、かつ光学系および撮像素子の持つシェーディングを補正する撮像装置に関する。
【背景技術】
【０００２】
ヒストグラムを取って適応型ガンマ補正は（特許文献１）などにより提案されているように、被写体像のコントラストが低い場合に於いては、信号処理でコントラストが上がるようなガンマ特性が選択され、被写体像のコントラストが高い場合においては信号処理でコントラストを下げるようなガンマ特性が選択されるものである。
【０００３】
また、特許文献２のように、シェーディング補正をかけた信号に対して、適応型ガンマ補正を行なう提案がなされている。
【特許文献１】特開平０９−２２４１７４号公報
【特許文献２】特開２００３−３０４３９９号公報
【発明の開示】
【発明が解決しようとする課題】
【０００４】
しかしながら、光学系および撮像素子を有する撮像装置に於いては、光学系および撮像素子が持つシェーディング（輝度および色のシェーディング）は、低コントラストの被写体において弊害が目立つものであり、前記のような適応型ガンマ補正を行なうと輝度および色のシェーディングがより際立ってしまう。
【０００５】
また、光学系および撮像素子の持つシェーディングの補正を行なうことで、前記のような低コントラスト被写体において撮影画像にシェーディングの弊害を低減することは可能であるが、シェーディング補正をかけた箇所では補正係数と適応ガンマ特性の双方によるゲインアップ量が大きくなり、輝度および色のノイズが増大する弊害が発生してしまう。
【０００６】
本発明に於いては、被写体像のヒストグラムを生成し、該ヒストグラムから適応型ガンマ特性を選択しつつ、輝度および色シェーディングの補正を行なっても、前記の補正がかかった箇所のノイズ増大を引き起こさない撮像装置の提供を目的とする。
【課題を解決するための手段】
【０００７】
前記目的を達成するために本発明では、撮影画像を複数エリアに分割し、分割エリア毎の濃度分布の検出を行い、全エリアの濃度分布状況から適応型ガンマ特性として適切なるガンマ特性を選択すると共に、光学系および撮像素子の持つシェーディングの影響を受け易い撮影画像の周辺部における複数エリアの濃度分布状況を検出して、所定範囲の濃度と前記選択されたガンマ特性とから、複数エリアにかかる代表的なガンマ補正Ｇａｉｎの検出を行い、一方、光学系および撮像素子の持つシェーディング補正テーブルを設け、前記選択した撮影画像周辺部の複数エリアにかかるシェーディング補正によるＧａｉｎ  ＵＰ量を検出し、更に、ホワイトバランス補正係数を検出し、前記所定の複数エリアにかかる複数の補正量（ガンマ補正Ｇａｉｎ、シェーディング補正Ｇａｉｎ、ＷＢ補正Ｇａｉｎ）を掛け合わせた結果として最大のＧａｉｎ増幅量を算出する。このＧａｉｎ増幅量と予め定めたリミット値とを比較して、各種補正によるＧａｉｎ増幅量がリミット値を越えてしまう場合に於いては、リミット値以内に補正によるＧａｉｎ増幅量が収まるように、シェーディング補正量を抑圧して、この抑圧したシェーディング補正量をもって光学系および撮像素子のシェーディング補正をおこなうことで、各種補正によるノイズの増大を所定範囲内に収めることが出来る。
【０００８】
なお、さらに説明すれば、本発明の第一の発明について下記のように示す。
【０００９】
（１）光学系と光学系を通過した光を電気信号に変換する撮像素子を有し、撮像素子出力の画像信号を複数領域に分割する分割手段と、分割された領域内の撮像素子出力信号の濃度分布を検出する手段と、ガンマ補正手段と、光学系および撮像素子のもつシェーディング特性を補正するシェーディング補正量を記憶する手段とシェーディング補正手段を有し、ガンマ特性と所定領域の濃度分布状況とから記憶されたシェーディング補正量に対する抑圧量を算出する手段を有し、該シェーディング補正量に対し前記で算出された抑圧をかけたシェーディング補正を撮像素子出力信号に対して行なうことを特徴とする撮像装置。
【発明の効果】
【００１０】
本発明に於いては、被写体像のヒストグラムを生成し、該ヒストグラムから適応型ガンマ特性を選択しつつ、輝度および色シェーディングの補正を行なっても、前記の補正がかかった箇所のノイズ増大を引き起こさない撮像装置の提供を目的とする。
【発明を実施するための最良の形態】
【００１１】
以下本発明を実施するための最良の形態を、実施例により詳しく説明する。
【実施例】
【００１２】
図１は本発明が適用されたデジタルカメラの実施の形態を示すブロック図であり、１はズーム機構およびフォーカス機構を有するレンズおよび該レンズを駆動する機構、２はレンズ１で集光した光の光量を制御する絞り機構、３はレンズ１および絞り機構２を通過した映像を電気信号に変換する複数の色フィルターを有する撮像素子（以下、ＣＣＤとする）であり、４はＣＣＤの出力信号よりＣＣＤ駆動パルス成分を除去しデジタル信号に変換するところのＣＤＳ・ＡＤ回路、５はＣＣＤ３を駆動させるためのパルス信号を発生させるタイミングジェネレーター（以下、ＴＧ）、６はデータバス、７はデジタル信号を記憶するためのメモリである。
【００１３】
８は前記１〜４のレンズからＣＣＤ出力にいたる光学に起因あるいはＣＣＤに起因する周辺光量落ちや色シェーディングを補正するシェーディング補正回路である。
【００１４】
９はＣＤＳ・ＡＤ回路４の出力もしくはＣＤＳ・ＡＤ回路４の出力を記憶したメモリ７の出力信号に対してホワイトバランスをとるために各色毎にゲインを与えるホワイトバランス回路（以下、ＷＢ回路とする）である。例えばＣＣＤ３が複数色フィルター（Ｒ，Ｇ１，Ｇ２，Ｂ）を有する場合においては、
Ａ’＝ＷＢ＿Ｒ＊Ｒ，Ｂ’＝ＷＢ＿Ｇ１＊Ｇ１，Ｃ’＝ＷＢ＿Ｇ２＊Ｇ２，Ｄ’＝ＷＢ＿Ｂ＊Ｂ
の係数（ＷＢ＿Ｒ，ＷＢ＿Ｇ１，ＷＢ＿Ｇ２，ＷＢ＿Ｂ）をかけて（Ｃａ’，Ｃｂ’，Ｃｃ’，Ｃｄ’）を出力する。
【００１５】
１０は各色に所定の係数をかけてＲＧＢ信号に変換するマトリクス回路（以下、ＭＴＸとする）であり、
Ｒ１＝ａ１＊Ｃａ’＋ｂ１＊Ｃｂ’＋ｃ１＊Ｃｃ’＋ｄ１＊Ｃｄ’
Ｇ１＝ａ２＊Ｃａ’＋ｂ２＊Ｃｂ’＋ｃ２＊Ｃｃ’＋ｄ２＊Ｃｄ’
Ｂ１＝ａ３＊Ｃａ’＋ｂ３＊Ｃｂ’＋ｃ３＊Ｃｃ’＋ｄ３＊Ｃｄ’
の式で表され、（ａ１，ｂ１，ｃ１，ｄ１，ａ２，ｂ２，ｃ２，ｄ２，ａ３，ｂ３，ｃ３，ｄ３）は係数とする。
【００１６】
１１はＭＴＸ出力信号が画像として適切な諧調特性とするためのガンマ回路（以下、γ回路とする）であり、カンマ回路１０の出力を（Ｒ’，Ｇ’，Ｂ’）とする。
【００１７】
１２はＲＧＢ形であるＷＢ２回路１１の出力信号をＹＵＶ（輝度・色差信号）形態に変換するＲＧＢ  ｔｏ  ＹＵＶ１変換回路であり、
Ｙ＝ｊ１＊Ｒ”＋ｋ１＊Ｇ”＋ｍ１＊Ｂ”，Ｕ＝ｊ２＊Ｒ”＋ｋ２＊Ｇ”＋ｍ２＊Ｂ”，Ｖ＝ｊ３＊Ｒ”＋ｋ３＊Ｇ”＋ｍ３＊Ｂ”  で表されるものとする。
【００１８】
１３はＵ信号およびＶ信号の各々に対しゲインをかけるＵＶ  Ｇａｉｎ回路であり、
Ｙ’＝Ｙ，Ｕ’＝ｕ１＊Ｕ，Ｖ’＝ｖ１＊Ｖ  で表されるものとする。
【００１９】
１４はＵＶ信号の色相を調整する色相調整回路であり、
Ｙ”＝Ｙ’，Ｕ”＝ｎ１＊Ｕ’＋（ｐ１＋ｑ１）＊Ｖ’，，Ｖ”＝（ｐ２＋ｑ２）＊Ｕ’＋ｎ２＊Ｖ’
で表されるものとする。なお、色相調整係数（ｎ１，ｐ１，ｑ１，ｎ２，ｐ２，ｑ２）の内、
ｑ１はＵ’＞０の場合はｑ１＝０、ｑ２はＶ’＞０の場合はｑ２＝０
となる特性をもたせるものとする。
【００２０】
１５は前記１〜３までの光量を検出するための露出量検出回路であり、前記ＣＣＤ３の出力信号に対しシェーディング補正回路８によるシェーディング補正を施した後の信号から露光量の検出を行うものである。１７は本発明のシステムを制御するコントローラーである。
【００２１】
１８は９〜１４までのプロセスを経た映像信号を圧縮処理するところの圧縮回路であり、１９は圧縮処理された映像信号を記録する記録媒体である。また、２０は８〜１４までのプロセスを経た映像信号を表示する表示手段である。更に、２１は本発明のシステムにより画像を撮影操作するためのレリーズボタンである。
【００２２】
図２は本発明の静止画像撮影時の動作を表したフローチャートであり、該フローチャートに沿って本発明の動作を説明する。
図１レリーズボタン２１の操作により、静止画像撮影の操作が行われたところより図２の静止画撮影のフローチャートはスタートし、１００にて図１レンズ１のズーム停止位置を検出し、１０１にて被写体輝度を測光し適切な露出時間および絞り機構２の絞り値を算出し、絞り機構２を該絞り値になるよう制御する。１０２では被写体距離を測距してレンズ１のフォーカス機構を適切なる位置に移動させる。
【００２３】
続いて１０３にて前記１０１で得られた露光時間でＣＣＤ３が露光するようＴＧ５の出力する電子シャッター値を設定し、所望の露光時間でＣＣＤ３により静止画像を露光する。１０４ではＣＣＤ３に露光された画像を読み出してＣＣＤ・ＡＤ回路４の処理を受けた後に、データバス６を介してメモリ７に記憶する。
【００２４】
１０５にて、メモリ７に記憶された静止画像をＷＢ検出回路１５に入力し、該静止画像より被写体の色温度を検出すると共にＷＢ補正量を算出する。
【００２５】
１０６では、１０５で算出したＷＢ補正量をＷＢ回路８に設定するとともに、検出した色温度に応じたＭＴＸ係数をＭＴＸ回路９に設定する。また、ＵＶ  Ｇａｉｎ回路・色相調整回路に設定する各係数を先に検出した色温度に適正となるような値を算出し、各係数を前記の各回路に設定する。
【００２６】
１０７では、前記１０５で検出および算出された色温度・ＷＢ補正量、更に１００で検出したズーム位置情報と、１０１の測光結果（被写体輝度，絞り量，シャッタースピード）より適正画像となるようなシェーディング補正量およびガンマ補正量を算出する。尚、シェーディング補正量およびガンマ補正量の算出方法の詳細については後述する。
【００２７】
１０８では前記１０７で算出されたシェーディング補正量を図１シェーディング補正回路８に設定する。
【００２８】
１０９では前記１０７で算出されたガンマ補正量を図１γ回路１１に設定する。
【００２９】
１１０では前記１０４にてメモリ７に記憶した静止画像データを読み出して、８〜１４のプロセスを施して所望の映像データとする。１１１では、１１０で得られた映像データを圧縮回路１８で圧縮処理を施した後に記録媒体に記録し、表示手段２０により映像データを表示する。
【００３０】
図１の露出量検出回路１５は図４［ａ］に記すように、撮影画面を複数のエリアに分割し、各エリア毎に撮像素子ＣＣＤ３を構成する色成分（Ｒ，Ｇ１，Ｇ２，Ｂ）の濃度分布（ヒストグラム）を計測する機能を有し、図４［ｂ−１］，［ｃ−１］，［ｄ−１］に示すようなヒストグラムを全エリア分だけ出力し、図１に示すコントローラー１７は、前記の各エリア毎に色成分（Ｒ，Ｇ１，Ｇ２，Ｂ）に対して重み係数（３，３，３，１）を掛けて、各エリアの輝度信号のヒストグラムおよび各エリアの平均輝度値（図４における、［ｂ−２］，［ｃ−２］，［ｄ−２］およびＡｖｅ＿Ｙ［１］，…，Ａｖｅ＿Ｙ［ｘ］，…，Ａｖｅ＿Ｙ［ｎ］）を算出し、各エリアの平均輝度値に対してエリア位置に応じた重みを掛けて露出量とし、該露出量を基に図１に示す絞り２の絞り量およびＣＣＤ３の露出時間を制御して、適正な露光量となるよう制御するものとする。
【００３１】
露出量検出回路１５により前記のような動作を行うとともに、該露出検出回路１５の出力である各エリア毎に撮像素子ＣＣＤ３を構成する色成分（Ｒ，Ｇ１，Ｇ２，Ｂ）のヒストグラム（図４［ｂ−１］，［ｃ−１］，［ｄ−１］に示す）より、図１に示すコントローラー１７にて撮影画面全体における色成分（Ｒ，Ｇ１，Ｇ２，Ｂ）のヒストグラムを生成し、該撮影画面のヒストグラムより撮影画像のコントラストを判別し（図４［ｅ−２］のような撮影画像全体の輝度ヒストグラムよりコントラストを判別する）、例えば濃度分布が広くかつ平均値が高輝度側に寄っている場合は図５に記すガンマ特性Ｃのような画像のコントラストを抑えるようなガンマ特性を選択し、逆に撮影画像の濃度分布幅が狭く、かつ低輝度側に寄っているような場合においては、図５に記すガンマ特性Ａのような画像のコントラストを上げるようなガンマ特性を選択するように動作することにより、適正コントラストである画像を出力するよう動作する。
【００３２】
尚、複数のガンマ特性は図１のコントローラー１７内にテーブルとして記憶されているものとする。
【００３３】
前記撮影画像のコントラストからガンマ特性選択とシェーディング補正量決定の流れを説明した図３を用いて、ガンマ特性選択とシェーディング補正係数選択の動作を説明する。図３の２１３では、適応ガンマ補正テーブルに図５に示したような複数のガンマ特性のテーブルが、図１のコントローラ１７内に記憶されており、先に説明したように図１の露出量検出回路１５が出力であるヒストグラム（図３における濃度分布情報２０４）から撮影画像のコントラストが最適となるようなガンマ特性を図３のガンマ選択２１４にて選択する。
【００３４】
また、図３における濃度分布情報２０４から、図４の［ａ］における分割エリア（１），（２），（３），（４）のような所定位置にあるエリアの濃度情報（図４における［ｂ−１］，［ｄ−１］のような色成分毎の濃度情報）を取得し、図３のガンマ補正Ｍａｘ係数抽出２１５においては各エリア／各色成分毎に平均値と標準偏差を作成し、該各エリア／各色成分毎の平均値±標準偏差の範囲に相当する濃度値をガンマ選択２１４にて選択されたガンマ特性に当てはめてガンマ補正係数としての最大値を算出する。ここで仮にガンマ補正係数の最大値をΓ＿ｍａｘとする。
【００３５】
図３の輝度シェーディング＿Ｚｏｏｍ  Ｐｏｓｉｔｉｏｎ補正テーブル２０６および色シェーディング＿Ｚｏｏｍ  Ｐｏｓｉｔｉｏｎ補正テーブル２０７は、図６の［ａ］，［ｂ］，［ｃ］，［ｄ］に示すような水平・垂直の画素位置に対する輝度シェーディング補正Ｇａｉｎおよび水平・垂直の画素位置に対するＲ信号用およびＢ信号用の色シェーディング補正ＧａｉｎをＺｏｏｍ  Ｐｏｓｉｔｉｏｎに応じた分だけテーブルとして図１のコントローラ１７内に記憶されていることを意味し、図３のＺｏｏｍ位置情報２０１よりＺｏｏｍレンズの位置情報よりＺｏｏｍ位置に応じた輝度シェーディング補正係数および色シェーディング補正係数を出力し、乗算手段２０８にて選択された輝度シェーディング補正係数と色シェーディングを乗算し、ＣＣＤの色成分（Ｒ，Ｇ１，Ｇ２，Ｂ）毎のシェーディング補正係数を算出する。
【００３６】
例えば選択された輝度シェーディング補正係数を関数ＳｈＹ［ｘ，ｙ］で表し、色シェーディング補正係数を関数ＳｈＲ［ｘ，ｙ］，ＳｈＢ［ｘ，ｙ］で表すものとした場合、乗算手段２０８の出力｛ＳｈＲ＿１［ｘ，ｙ］，ＳｈＧ１＿１［ｘ，ｙ］，ＳｈＧ２＿１［ｘ，ｙ］，ＳｈＢ＿１［ｘ，ｙ］｝は
ＳｈＲ＿１［ｘ，ｙ］＝ＳｈＹ［ｘ，ｙ］＊ＳｈＲ［ｘ，ｙ］；
ＳｈＧ１＿１［ｘ，ｙ］＝ＳｈＧ２＿１［ｘ，ｙ］＝ＳｈＹ［ｘ，ｙ］；
ＳｈＢ＿１［ｘ，ｙ］＝ＳｈＹ［ｘ，ｙ］＊ＳｈＢ［ｘ，ｙ］；
として算出されるものとする。尚、上記のｘは水平画素位置、ｙは垂直画素位置を意味するものとする。
【００３７】
図３のａｐｅｒｔｕｒｅ情報２０２は図１の絞り２における絞り量の情報を意味し、絞り量による輝度・色シェーディング量が変化するため、図３の絞り補正係数２０９では絞り量に応じた補正係数を出力し、乗算手段２１０にて先に求められたシェーディング補正係数と掛け合わされる。２０９における絞り補正係数を関数Ｆ［ｘ，ｙ］で表すものとした場合、乗算手段２１０の出力｛ＳｈＲ２［ｘ，ｙ］，ＳｈＧ２［ｘ，ｙ］，ＳｈＢ２［ｘ，ｙ］｝は
ＳｈＲ＿２［ｘ，ｙ］＝Ｆ［ｘ，ｙ］＊ＳｈＲ＿１［ｘ，ｙ］；
ＳｈＧ＿２［ｘ，ｙ］＝Ｆ［ｘ，ｙ］＊ＳｈＧ１＿１［ｘ，ｙ］；
ＳｈＢ＿２［ｘ，ｙ］＝Ｆ［ｘ，ｙ］＊ＳｈＢ＿１［ｘ，ｙ］；
として表すことが出来る。
【００３８】
図３シェーディング補正Ｍａｘ係数抽出２１１では、乗算手段２１０から出力される色毎のシェーディング補正係数より各色毎の最大値を抽出する。
【００３９】
この結果を｛ＳｈＲ＿２［ｘ，ｙ］＿ｍａｘ，ＳｈＧ＿２［ｘ，ｙ］＿ｍａｘ，ＳｈＢ＿２［ｘ，ｙ］＿ｍａｘ｝とする。
【００４０】
図３のＷＢ補正係数は、図１のＷＢ検出回路１６からの検出結果よりコントローラー１７により、ＷＢ補正係数を算出した結果を得ることを意味し、ここではＷＢ補正係数を｛ＷＢ＿Ｒ，ＷＢ＿Ｇ１，ＷＢ＿Ｇ２，ＷＢ＿Ｂ｝とする。
【００４１】
図３の乗算手段２１６において、シェーディング補正Ｍａｘ係数抽出２１１とＷＢ補正係数２０３とガンマ補正Ｍａｘ係数抽出の結果を乗算する。
【００４２】
この結果｛Ｒ＿ｍａｘ，Ｇ１＿ｍａｘ，Ｇ２＿ｍａｘ，Ｂ＿ｍａｘ｝は
Ｒ＿ｍａｘ＝ＷＢ＿Ｒ＊Γ＿ｍａｘ＊ＳｈＲ＿２［ｘ，ｙ］＿ｍａｘ；
Ｇ１＿ｍａｘ＝ＷＢ＿Ｇ１＊Γ＿ｍａｘ＊ＳｈＧ＿２［ｘ，ｙ］＿ｍａｘ；
Ｇ２＿ｍａｘ＝ＷＢ＿Ｇ２＊Γ＿ｍａｘ＊ＳｈＧ＿２［ｘ，ｙ］＿ｍａｘ；
Ｂ＿ｍａｘ＝ＷＢ＿Ｂ＊Γ＿ｍａｘ＊ＳｈＢ＿２［ｘ，ｙ］＿ｍａｘ；
の計算式で算出される。
【００４３】
図３の比較２１７においては、予め定められた補正係数リミット値２０５と、上記乗算手段２１６の出力｛Ｒ＿ｍａｘ，Ｇ１＿ｍａｘ，Ｇ２＿ｍａｘ，Ｂ＿ｍａｘ｝の中の
最大値（｛Ｒ＿ｍａｘ，Ｇ１＿ｍａｘ，Ｇ２＿ｍａｘ，Ｂ＿ｍａｘ｝＿ｍａｘ）とを比較して、
もし｛Ｒ＿ｍａｘ，Ｇ１＿ｍａｘ，Ｇ２＿ｍａｘ，Ｂ＿ｍａｘ｝＿ｍａｘ≦（補正係数リミット値）であるならば、
Ｋ＝１    ；
もし｛Ｒ＿ｍａｘ，Ｇ１＿ｍａｘ，Ｇ２＿ｍａｘ，Ｂ＿ｍａｘ｝＿ｍａｘ＞（補正係数リミット値）であるならば、
Ｋ＝（補正係数リミット値）／｛Ｒ＿ｍａｘ，Ｇ１＿ｍａｘ，Ｇ２＿ｍａｘ，Ｂ＿ｍａｘ｝＿ｍａｘ      ；
で得られる係数Ｋを算出する。
【００４４】
図３のシェーディング補正量の修正２１８においては、乗算手段２１０と比較２１７からの出力を用いて、
最終的なシェーディング補正量｛ＳｈＲｆ［ｘ，ｙ］，ＳｈＧ１ｆ［ｘ，ｙ］，ＳｈＧ２ｆ［ｘ，ｙ］，ＳｈＢｆ［ｘ，ｙ］｝を
ＳｈＲｆ［ｘ，ｙ］＝Ｋ＊ＳｈＲ＿２［ｘ，ｙ］；
ＳｈＧ１ｆ［ｘ，ｙ］＝Ｋ＊ＳｈＧ＿２［ｘ，ｙ］；
ＳｈＧ２ｆ［ｘ，ｙ］＝Ｋ＊ＳｈＧ＿２［ｘ，ｙ］；
ＳｈＢｆ［ｘ，ｙ］＝Ｋ＊ＳｈＢ２［ｘ，ｙ］；
の計算により求め、図３のシェーディング補正回路に設定２１９の段階で、図１のシェーディング補正回路８に上記で得たシェーディング補正量｛ＳｈＲｆ［ｘ，ｙ］，ＳｈＧ１ｆ［ｘ，ｙ］，ＳｈＧ２ｆ［ｘ，ｙ］，ＳｈＢｆ［ｘ，ｙ］｝を設定する。
【図面の簡単な説明】
【００４５】
【図１】本発明のブロック構成図
【図２】本発明のフローチャート
【図３】本発明でのシェーディング補正量を算出する流れを説明したフローチャート
【図４】濃度分布検出を説明した図
【図５】ガンマ特性を説明した図
【図６】シェーディング補正の特性を説明した図
【符号の説明】
【００４６】
１  レンズ
２  絞り機構
３  撮像素子（ＣＣＤ）
４  ＣＤＳ・ＡＤ回路
５  タイミングジェネレーター（ＴＧ）
６  データバス
７  メモリ
８  シェーディング補正回路
９  ホワイトバランス回路（ＷＢ回路）
１０  マトリクス回路（ＭＴＸ）
１１  ガンマ回路（γ回路）
１２  ＲＧＢ  ｔｏ  ＹＵＶ１変換回路
１３  ＵＶ  Ｇａｉｎ回路
１４  色相調整回路
１５  露出量検出回路
１７  コントローラー
１８  圧縮回路
１９  記録媒体
２０  表示手段
２１  レリーズボタン
【図１】
2006121386.tif 000003
【図２】
2006121386.tif 000004
【図３】
2006121386.tif 000005
【図４】
2006121386.tif 000006
【図５】
2006121386.tif 000007
【図６】
2006121386.tif 000008